(57)【要約】      （修正有）【課題】遺骨一つあたりの骨壷占有面積が少なく、骨壷作製のコストが低減され、遺骨収容部を上下配置しても倒れにくい構造の骨壷を提供する。【解決手段】骨壷１０、２０、３０は、遺骨を収容する第一及び第二の収容部１１０、１２０を含み、第一の収容部１１０の上周縁１２４より内側に設けられる上突出部１１２が、第二の収容部１２０の底周縁１２１に設けられる底突出部１２２の内側に配置されることで、前記第二の収容部１２０が、前記第一の収容部１１０の上に係合支持されることを特徴とする。【選択図】  図１
0003197640.tif 000002
【実用新案登録請求の範囲】
【請求項１】
上部が開口し、内部に遺骨を収容する第一及び第二の収容部と、前記第一及び第二の収容部の開口を塞ぐことが可能な蓋体部とを含む骨壷であって、
前記第一の収容部は、その上周縁より内側に設けられる上突出部を備え、
前記第二の収容部は、前記上突出部に支持された状態で、前記第一の収容部の上に配置可能であり、
前記第二の収容部は、その底周縁に設けられる底突出部を備え、
前記第一の収容部に設けられた上突出部が、前記第二の収容部に備わる底突出部の内側に配置され、前記第二の収容部が、前記第一の収容部の上に係合支持されることを特徴とする骨壷。
【請求項２】
前記第二の収容部は、その上周縁より内側に設けられる上突出部を備え、
当該上突出部が、前記蓋体部側壁の内側に配置され、前記蓋体部が、前記第二の収容部により係合支持される請求項１に記載の骨壷。
【請求項３】
内部に遺骨を収容すると共に、その底周縁より外側に底突出部が設けられる第三の収容部を更に備える請求項１又は２に記載の骨壷。
【考案の詳細な説明】
【技術分野】
【０００１】
本考案は、内部に遺骨を収容する骨壷に関する。
【背景技術】
【０００２】
人口の都市集中化等の傾向により、日本人の生活様式が大幅に変化し、それに呼応するよう、墓地の所有方法や遺骨の供養形態にも変化が生じている。特に、生活基盤を都市に移行させた世帯の増加や、それに伴う核家族化によって、火葬された遺骨を、血縁関係等のない他人の遺骨と共に納骨堂に納め、納骨堂を管理する寺院等によって永代的に供養管理される、永代供養墓に対する需要が増加している。
【０００３】
永代供養墓では、個人単位で遺骨を供養管理する従来型の墓と比べて、墓地使用料及び墓石等の購入料などの諸経費が少なく、また限られた敷地面積の中に多くの遺骨を収容できるため、墓使用者及び墓地管理者の双方にとって大きなメリットを有する。
【０００４】
しかし、故人一人分の遺骨を一つの骨壷に納め、それを納骨堂内に配置するという形態の永代供養墓の場合、納骨スペースに限りがあるため、骨壷の収納個数も、それに応じて制限される。これに対して、より多くの骨壷を収納しようとすれば、それだけ大きな納骨スペースを確保しなければならない。この問題は、特に都市部の墓地に設置される永代供養墓において顕在化する可能性が高い。更に近年、ペットも家族の一員であるとの認識の高まりから、自らの遺骨とペットの遺骨とを並べて安置するという需要が高まっているが、埋葬の時期が異なることで別々の場所に遺骨が納められてしまうという問題もある。
【０００５】
そこで、上記問題（主に、永代供養墓の納骨スペースに係る問題）を解決するため、下記特許文献１が開示されている。特許文献１に記載の技術は、上面が開放された直方体の壺本体と、平面形状が前記壺本体と同一形状であり開放上面を閉止する蓋とを備え、壺本体の下面に、下方に突出する脚部が設けられ、蓋の上面に、前記脚部が収納される凹部が設けられる骨壷に関する。この骨壷によれば、上下に複数の骨壷を積み重ねることができ、また壺本体及び蓋が直方体形状であるため、これらを並べて配置しても隙間領域を非常に少なくすることができる。そのため、納骨スペースの有効活用を図ることができる。
【先行技術文献】
【特許文献】
【０００６】
【特許文献１】実用新案登録第３１５７８３８号公報
【考案の概要】
【考案が解決しようとする課題】
【０００７】
しかしながら、上記特許文献に記載の技術は、壺本体と蓋とを１セットで組み合わせる構造であるため、骨壷を上下重ねる場合、上側に配置される壺本体の底面が、下に配置される壺本体の蓋として機能することが可能であるとしても、この壺本体に必ず蓋を被せ、その上に別の骨壷を配置する構成となっている。そのため、本来不要なはずの蓋（最上に配置される以外の壺本体に被せる蓋）に関する製造コスト等が余計にかかるという課題を有する。また、蓋の上表面に設けられる凹部に関して、壺本体に設けられる脚部を収納するため、それに合せた加工を行う必要があり、構造が複雑でコスト高の要因となる。
【０００８】
上記課題に鑑み、本考案は、納骨スペースの有効活用を図ると共に、非常に簡易な構造であり、かつ安定的に上下重ね合わせることが可能な骨壷を提供することを目的とする。
【課題を解決するための手段】
【０００９】
前記課題を解決するための本考案に係る骨壷は、
上部が開口し、内部に遺骨を収容する第一及び第二の収容部と、前記第一及び第二の収容部の開口を塞ぐことが可能な蓋体部とを含む骨壷であって、
前記第一の収容部は、その上周縁より内側に設けられる上突出部を備え、
前記第二の収容部は、前記上突出部に支持された状態で、前記第一の収容部の上に配置可能であり、
前記第二の収容部は、その底周縁に設けられる底突出部を備え、
前記第一の収容部に設けられた上突出部が、前記第二の収容部に備わる底突出部の内側に配置され、前記第二の収容部が、前記第一の収容部の上に係合支持されることを特徴とする。
【００１０】
また、本考案に係る骨壷は、
前記第二の収容部は、その上周縁より内側に設けられる上突出部を備え、
当該上突出部が、前記蓋体部側壁の内側に配置され、前記蓋体部が、前記第二の収容部により係合支持されることが好ましく、更に、内部に遺骨を収容すると共に、その底周縁より外側に底突出部が設けられる第三の収容部を備えることが好ましい。
【考案の効果】
【００１１】
本考案によれば、納骨スペースの有効活用を図ると共に、非常に簡易な構造であり、かつ遺骨を収容する各収容部を安定的に上下重ね合わせることが可能な骨壷を提供することができる。
【図面の簡単な説明】
【００１２】
【図１】本考案に係る実施形態の斜視図。
【考案を実施するための形態】
【００１３】
以下、図面を参照して本考案の望ましい実施形態を詳細に説明する。但し、本考案は多くの異なる態様で実施することが可能であり、以下に示す実施の形態の記載内容に限定して解釈されるものではない。
【００１４】
図１を参照して、本考案に係る実施形態ついて詳細に説明する。図１は、本考案に係る実施形態の斜視図である。ここで、図１（ａ）は、故人１人分の遺骨を収容する骨壷１０、図（ｂ）は、故人２人分の遺骨を収容する骨壷２０、図（ｃ）は、故人１人分及びペット２匹分の遺骨を収容する骨壷３０を示す。図１（ａ）から（ｃ）では、骨壷の図奥側の外周及び内部断面を実線で描き、図手前側の外周を二点鎖線で描いているが、これは内部断面を説明するための便宜上のものであり、実際に外部からは、実線及び二点鎖線で描かれる骨壷の外周のみが視認される。
【００１５】
図１において、骨壷１０から３０は、縦長の形状を有する。これにより、永代供養墓の納骨スペースにより多くの骨壷を配置することができ、省スペース化を図ることができる。また、骨壷１０から３０は、いずれも円筒形状であるが、省スペース化が図れるものであれば、これに限定されない。
【００１６】
次に、骨壷１０から３０の構成を説明する。まず、骨壷１０は、図１（ａ）に示されるように、第一の収容部１１０と蓋体部２００を含む。第一の収容部１１０は、その上周縁１１１より周方向内側部分から上方に突出する上突出部１１２が設けられる。上突出部１１２の上方は、何らかの部品・部材等によって塞がれるものではないため開口しており、ここから、第一の収容部１１０の内部スペース１１３に、故人の遺骨を収容することが可能である。
【００１７】
上突出部１１２は、上記のように第一の収容部１１０の上周縁１１１の周方向内側部分に配置されるため、上周縁１１１の直上に所定のスペースが生じる。このスペースに蓋体部２００の側壁２１０が配置される。これにより、蓋体部２００が、上突出部１１２の上方を塞ぐこととなる。
【００１８】
ここで、第一の収容部１１０の直径（すなわち上周縁１１１の直径）及び蓋体部２００の直径をほぼ同寸法とし、蓋体部２００の側壁２１０の厚みに合わせて、上周縁１１１と上突出部１１２との配置関係を調整し、スペースを形成することで、上突出部１１２と側壁２１０とがほぼ接触する程重なるようにすれば、蓋体部２００を上突出部１１２に被せた状態で安定に係合支持することができる。
【００１９】
次に、骨壷２０は、図１（ｂ）に示されるように、第一の収容部１１０、第二の収容部１２０、蓋体部２００を含む。第一の収容部１１０は、骨壷１０において説明したものと同様であるため、ここでは詳細な説明を省略する。なお、図１（ｂ）に描かれた第一の収容部１１０は、図１（ａ）に描かれるものより高さが低いが、これに限られるものではなく、例えば図１（ａ）に係る第一の収容部１１０と同様の寸法であってもよい。
【００２０】
第二の収容部１２０は、その底周縁１２１から下方に突出して設けられる底突出部１２２を備える。ここで、図１（ｂ）に示されるように、第二の収容部１２０が、第一の収容部１１０の上に配置される場合、前記底突出部１２２は、上記第一の収容部１１０の上周縁１１１の直上のスペースに配置されると共に、底突出部１２２が周方向外側に、第一の収容部１００の上突出部１１２が周方向内側に配置される位置関係となって、両者がほぼ接触するほど重なり合う。それに伴い、第一の収容部１１０の上開口が、第二の収容部１２０の底面１２３によって塞がれた状態となる。これにより、第二の収容部１２０は、安定な状態で第一の収容部１１０の上に係合支持される。
【００２１】
更に、第二の収容部１２０は、その上周縁１２４より周方向内側部分から上方に上突出部１２５が設けられる。上突出部１２５の上方は開口している。ここから、第二の収容部１２０の内部スペース１２６に、故人の遺骨を収容することが可能である。
【００２２】
上記第一の収容部１１０の場合と同様に、第二の収容部１２０の上周縁１２４と上突出部１２５とにより形成される所定のスペースに、蓋体部２００の側壁２１０が配置される。これにより、蓋体部２００が、上突出部１２５の上方を塞ぐこととなる。
【００２３】
ここで、第二の収容部１２０の直径（すなわち上周縁１２４の直径）及び蓋体部２００の直径をほぼ同寸法とし、蓋体部２００の側壁２１０の厚みに合わせて、上周縁１２４と上突出部１２５との配置関係を調整し、スペースを形成することで、上突出部１２５と側壁２１０とがほぼ接触する程重なるようにすれば、蓋体部２００を上突出部１２５に被せた状態で安定に係合支持することができる。
【００２４】
第一の収容部１１０の内部スペース１１３及び第二の収容部１２０の内部スペース１２６には、それぞれ故人一人の遺骨を収容できることが望ましい。このことから、図１（ｂ）に示す骨壷２０には、合計２名の遺骨を収容することができる。ただし、図１（ｂ）では、第二の収容部１２０を一つ用いる構成の骨壷２０が描かれているが、第二の収容部１２０の使用個数はこれに限られるものではなく、更に上部に別の第二の収容部１２０を配置するようにしてもよい。
【００２５】
上述のように、骨壷２０は、第一の収容部１１０の上に第二の収容部１２０を配置する構成であることから、永代供養墓の納骨スペースにおける遺骨１名あたりの占有面積を大幅に削減することができる。その結果、少ない面積で多くの遺骨を納めることができる。これに加えて、骨壷２０を構成する第一の収容部１１０、第二の収容部１２０及び蓋体部２００は、いずれも非常にシンプルで簡素な構造である一方で、第一の収容部１１０の上に第二の収容部１２０及び蓋体部２００を配置したとしても、これを非常に安定な状態で支持することができる。すなわち、骨壷２０は、作製コストが低減できると共に、骨壷が倒れて内部の遺骨が散布されてしまう、あるいは倒れた骨壷によって別の骨壷が破損するなどの事故の確率を低減できるという効果を奏する。加えて、通常の場合、夫婦等の親しい間柄で同じ永代供養墓を申し込む場合でも、埋葬時期が異なるなどの理由から、離れた場所に埋葬されてしまう可能性も存在したが、本発明によって、まず、夫婦のうちどちらかが亡くなったときに、第一の収容部１１０及び蓋本部２００を使って一旦埋葬を行い、２人目が亡くなった時に、第一の収容部１１０と蓋本部２００を取り外し、第二の収容部１２０に２人目の遺骨を収容し、第一の収容部と第二の収容部、蓋本部を取り付け、再度埋葬することによって、埋葬時期の異なる２人でも、確実に遺骨の位置関係を互いに近く保つ効果も期待できる。
【００２６】
なお、図１（ｂ）において、第一の収容部１１０の内部スペース１１３と、第二の収容部１２０の内部スペース１２６の容積がほぼ同じ状態であるとして描かれているが、これに限られるものではない。ただし、各内部スペース１１３、１２６のそれぞれに、少なくとも一人分の遺骨が納められる容積が確保されていることが好ましい。
【００２７】
次に、骨壷３０は、図１（ｃ）に示されるように、第一の収容部１１０、第三の収容部１３０、蓋体部２００を含む。上記において説明した骨壷１０及び骨壷２０と異なる部分は、第三の収容部１３０である。なお、第一の収容部１１０に関しては、骨壷２０の場合と同様、詳細な説明を省略する。
【００２８】
第三の収容部１３０は、上方が開口しており、ここから遺骨を内部スペース１３３に収容する。それに加えて、第三の収容部１３０は、その底周縁１３１より周方向外側部分から下方に突出して設けられる底突出部１３２を備える。ここで、図１（ｃ）に示されるように、第三の収容部１３０が、第一の収容部１１０の直上に配置される場合、前記底突出部１３２は、上記第一の収容部１１０の上周縁１１１の直上のスペースに配置されると共に、底突出部１３２が周方向外側に、第一の収容部１００の上突出部１１２が周方向内側に配置される位置関係となって、両者がほぼ接触するほど重なり合う。それに伴い、第一の収容部１１０の上開口が、第三の収容部１３０の底面１３４によって塞がれた状態となる。これにより、第三の収容部１３０は、安定な状態で第一の収容部１１０の上に係合支持される。
【００２９】
また、第三の収容部１３０の底周縁１３１と側周壁１３５とにより形成される所定のスペースに、蓋体部２００の側壁２１０が配置される。これにより、蓋体部２００が、第三の収容部１３０の上方を塞ぐこととなる。
【００３０】
ここで、第三の収容部１３０の直径及び蓋体部２００の直径をほぼ同寸法とし、蓋体部２００の側壁２１０の厚みに合わせて、底周縁１３１と側周壁１３５との配置関係を調整し、スペースを形成することで、側周壁１３５と側壁２１０とがほぼ接触する程重なるようにすれば、蓋体部２００を安定に係合支持することができる。
【００３１】
これに対して、第三の収容部１３０では、第一の収容部１１０及び第二の収容部１２０の場合と異なり、その上周縁に上突出部等の部材が設けられていない。そのため、遺骨を収容する内部スペース１３３の容積が、第一の収容部１１０の内部スペース１１３及び第二の収容部１２０の内部スペース１２６に比べて相対的に少ない。従って、第三の収容部１３０は、ペットとして飼育された動物等の遺骨を納める用途で用いられることが好ましい。ただし、これに限定されるものではない。
【００３２】
図１（ｃ）に示される骨壷３０では、第一の収容部１１０の上に配置された第三の収容部１３０の更に上に別の第三の収容部１３０が配置されている（以下、下側に配置される第三の収容部１３０を単に「収容部１３０Ａ」と記し、上側に配置される第三の収容部１３０を「収容部１３０Ｂ」と記す場合がある）。このとき、収容部１３０Ｂの底突出部１３２が、収容部１３０Ａの上周縁１３１の直上のスペースに配置されると共に、当該底突出部１３２が周方向外側に、収容部１３０Ａの側周壁１３５が周方向内側に配置される位置関係となって、両者がほぼ接触するほど重なり合う。それに伴い、収容部１３０Ａの上開口が、収容部１３０Ｂの底面１３４によって塞がれた状態となる。これにより、収容部１３０Ｂは、安定な状態で収容部１３０Ａの上に係合支持される。
【００３３】
なお、図１（ｃ）に示される骨壷３０は、第一の収容部１１０を一つ、第三の収容部１３０を二つ含んでいるが、第三の収容部１３０の使用個数はこれに限られるものではない。また、第一の収容部１１０と第三の収容部１３０の間などに、第二の収容部１２０を配置してもよい。更に、これら収容部の上下配置順についても適宜変更可能であることが好ましい。
【００３４】
第三の収容部１３０をペット等の遺骨の収容のために用いる場合、骨壷３０は、第一の収容部１１０（又は第二の収容部１２０）に飼主と考えられる故人の遺骨を収容し、第三の収容部１３０にペットの遺骨を収容できるため、永代供養墓に遺骨を納める場合であっても、飼主とペットの遺骨の位置関係を互いに近く保つことができる。更に、これらが上下に配置されるため、骨壷の占有面積を必要最小限に抑えることができる（故人一人の遺骨のみが収容される骨壷と同じ占有面積とすることができる。）。また、第一の収容部１１０及び第二の収容部１２０と同様に、第三の収容部１３０も、非常にシンプルで簡素な構造あり、これを第一の収容部１１０（又は第二の収容部１２０）の上に配置した場合であっても、安定な状態で支持される。
【００３５】
上記において説明した本考案に係る骨壷は、特に永代供養墓の納骨スペースに収納される場合において、遺骨一つあたりの骨壷占有面積が少なく、骨壷作製のコストが低減され、且つ倒れにくい構造であるという効果を有する。そのため、今後需要の増加が予想される永代供養墓に収納される骨壷として非常に適するものである。また、本考案に係る骨壷によれば、現在高まりつつある、自らの遺骨を飼育していたペットの遺骨の近くに置きたいというニーズにも適切に応えることが可能である。
【符号の説明】
【００３６】
１０、２０、３０  骨壷
１１０            第一の収容部
１１１            上周縁
１１２            上突出部
１１３            内部スペース
１２０            第二の収容部
１２１            底周縁
１２２            底突出部
１２３            底面
１２４            上周縁
１２５            上突出部
１２６            内部スペース
１３０            第三の収容部
１３１            底周縁
１３２            底突出部
１３３            内部スペース
１３４            底面
１３５            側周壁
２００            蓋体部
２１０            側壁
【図１】
0003197640.tif 000003